(57)【要約】【課題】本発明は安定的な放電をすることができるプラズマディスプレイ装置及び駆動方法を提供する。【解決手段】本発明のプラズマディスプレイ装置及び駆動方法はプラズマディスプレイパネル及びスキャン駆動部を含む。プラズマディスプレイパネルは第１スキャン電極、第２スキャン電極及びサステイン電極を含む。スキャン駆動部は、前記１スキャン電極に第１スキャン信号を供給して前記第１スキャン電極及び前記第２スキャン電極に光を放出するための第１信号を供給した後、前記第２スキャン電極にスキャン基準電圧から立ち下がる第２スキャン信号を供給して前記第２スキャン信号が供給される間に前記スキャン基準電圧と異なる電圧を前記第１スキャン電極に供給する。【選択図】図４Ａ
2008139881.tif 000002
【特許請求の範囲】
【請求項１】
第１スキャン電極、第２スキャン電極及びサステイン電極を含むプラズマディスプレイパネルと、
前記第１スキャン電極に第１スキャン信号を供給し、前記第１スキャン電極及び前記第２スキャン電極に光を放出するための第１信号を供給した後に、前記第２スキャン電極にスキャン基準電圧から立ち下がる第２スキャン信号を供給し、さらに、前記第２スキャン信号が供給される間に前記スキャン基準電圧と異なる電圧を前記第１スキャン電極に供給するスキャン駆動部と、
を含むプラズマディスプレイ装置。
【請求項２】
サステイン駆動部をさらに含み、
前記サステイン駆動部は、前記第１信号の供給後であって前記第２スキャン信号の供給前に、前記サステイン電極に光を放出するための第２信号を供給することを特徴とする、請求項１記載のプラズマディスプレイ装置
【請求項３】
前記スキャン駆動部と前記サステイン駆動部は、
前記第１信号及び前記第２信号を交互に１回以上３回以下供給することを特徴とする、請求項２記載のプラズマディスプレイ装置。
【請求項４】
サステイン駆動部をさらに含み、
前記サステイン駆動部は、前記スキャン駆動部が前記第１信号を供給する間に、グラウンドレベルの電圧を前記サステイン電極に供給することを特徴とする、請求項１記載のプラズマディスプレイ装置。
【請求項５】
サステイン駆動部をさらに含み、
サステイン信号の前記第１スキャン電極及び前記第２スキャン電極に対する供給後に、前記サステイン駆動部がサステイン信号を前記サステイン電極に供給することを特徴とする、請求項１記載のプラズマディスプレイ装置。
【請求項６】
前記スキャン駆動部は、
前記第１信号の供給後に、前記第２スキャン電極に第１電圧まで漸進的に立ち下がる信号を供給することを特徴とする、請求項１記載のプラズマディスプレイ装置。
【請求項７】
前記スキャン駆動部は、
前記第１スキャン信号を供給する前に、前記第１電圧より高い第２電圧まで漸進的に立ち下がるセットダウン信号を前記第２スキャン電極に供給することを特徴とする、請求項６記載のプラズマディスプレイ装置。
【請求項８】
前記スキャン基準電圧と異なる電圧はグラウンドレベルの電圧であることを特徴とする、請求項１記載のプラズマディスプレイ装置。
【請求項９】
前記スキャン基準電圧と異なる電圧は負電圧であることを特徴とする、  請求項１記載のプラズマディスプレイ装置。
【請求項１０】
前記負電圧が供給される時前記サステイン電極にサステイン電圧より低い電圧が供給されることを特徴とする、請求項９記載のプラズマディスプレイ装置。
【請求項１１】
第１スキャン電極、第２スキャン電極及びサステイン電極を含むプラズマディスプレイ装置の駆動方法において、
前記第１スキャン電極に第１スキャン信号を供給する段階と、
前記第１スキャン電極及び前記第２スキャン電極に光を放出するための第１信号を供給した後に、前記第２スキャン電極にスキャン基準電圧から立ち下がる第２スキャン信号を供給する段階と、
前記第２スキャン信号が供給される間に前記スキャン基準電圧と異なる電圧を前記第１スキャン電極に供給する段階と、
を含むプラズマディスプレイ装置の駆動方法。
【請求項１２】
前記第１信号の供給後であって前記第２スキャン信号の供給前に、前記サステイン電極に光を放出するための第２信号が供給されることを特徴とする、請求項１１記載のプラズマディスプレイ装置の駆動方法。
【請求項１３】
前記第１信号及び前記第２信号は交互に１回以上３回以下供給されることを特徴とする、請求項１２記載のプラズマディスプレイ装置の駆動方法。
【請求項１４】
前記第１信号が供給される間に、グラウンドレベルの電圧が前記サステイン電極に供給されることを特徴とする、請求項１１記載のプラズマディスプレイ装置の駆動方法。
【請求項１５】
前記第２スキャン信号が供給された後に、サステイン信号が前記第１スキャン電極及び前記第２スキャン電極に供給されて、
サステイン信号が前記サステイン電極に供給されることを特徴とする、請求項１１記載のプラズマディスプレイ装置の駆動方法。
【請求項１６】
前記第１信号が供給された後に、前記第２スキャン電極に第１電圧まで漸進的に立ち下がる信号が供給されることを特徴とする、請求項１１記載のプラズマディスプレイ装置の駆動方法。
【請求項１７】
前記第１スキャン信号が供給される前に、前記第１電圧より高い第２電圧まで漸進的に立ち下がるセットダウン信号が前記第１スキャン電極及び前記第２スキャン電極に供給されることを特徴とする、請求項１６記載のプラズマディスプレイ装置の駆動方法。
【請求項１８】
前記スキャン基準電圧と異なる電圧はグラウンドレベルの電圧であることを特徴とする、請求項１１記載のプラズマディスプレイ装置の駆動方法。
【請求項１９】
前記スキャン基準電圧と異なる電圧は負電圧であることを特徴とする、請求項１１記載のプラズマディスプレイ装置の駆動方法。
【請求項２０】
前記負電圧が供給される時に、前記サステイン電極にサステイン電圧より低い電圧が供給されることを特徴とする、請求項１９記載のプラズマディスプレイ装置の駆動方法。
【発明の詳細な説明】
【技術分野】
【０００１】
本発明はディスプレイ装置に関し、さらに詳しくはプラズマディスプレイ装置及びその駆動方法に関する。
【背景技術】
【０００２】
プラズマディスプレイ装置は画像を表示するプラズマディスプレイパネルとプラズマディスプレイパネルを駆動させるための駆動部を含む。
【０００３】
プラズマディスプレイパネルは前面パネルと背面パネルの間に形成された隔壁が形成する単位放電セルを含む。各放電セル内にはネオン（Ｎｅ）、ヘリウム（Ｈｅ）またはネオン及びヘリウムの混合気体（Ｎｅ＋Ｈｅ）のような主放電気体とキセノンを含む不活性ガスが充填されている。
【０００４】
単位放電セルに高周波電圧が印加されて放電が発生すれば、不活性ガスは真空紫外線（Ｖａｃｕｕｍ  Ｕｌｔｒａ  Ｖｉｏｌｅｔ  ｒａｙｓ）を発生して真空紫外線は隔壁の間に形成された蛍光体を発光させる。
【０００５】
プラズマディスプレイパネルはスキャン電極（Ｙ）、サステイン電極（Ｚ）、データ電極（Ｘ）を含み、駆動部はプラズマディスプレイパネルの電極に駆動電圧を供給するために電極に接続される。
【０００６】
一方、駆動部が駆動電圧を各電極に供給する時のさまざまな要因によって駆動効率が低下し得る。そのため、プラズマディスプレイ装置の駆動条件を最適化させるための研究が続いている。
【発明の開示】
【発明が解決しようとする課題】
【０００７】
本発明の目的は、安定的な放電をすることができるプラズマディスプレイ装置及び駆動方法を提供することにある。
【課題を解決するための手段】
【０００８】
本発明のプラズマディスプレイ装置は第１スキャン電極、第２スキャン電極及びサステイン電極を含むプラズマディスプレイパネル、及び、前記第１スキャン電極に第１スキャン信号を供給し、前記第１スキャン電極及び前記第２スキャン電極に光を放出するための第１信号を供給した後に、前記第２スキャン電極にスキャン基準電圧から立ち下がる第２スキャン信号を供給し、さらに前記第２スキャン信号が供給される間に前記スキャン基準電圧と異なる電圧を前記第１スキャン電極に供給するスキャン駆動部を含む。
【０００９】
本発明のプラズマディスプレイ装置の駆動方法は、前記第１スキャン電極に第１スキャン信号を供給する段階、前記第１スキャン電極及び前記第２スキャン電極に光を放出するための第１信号を供給した後に前記第２スキャン電極にスキャン基準電圧から立ち下がる第２スキャン信号を供給する段階、前記第２スキャン信号が供給される間に前記スキャン基準電圧と異なる電圧を前記第１スキャン電極に供給する段階を含む。
【発明の効果】
【００１０】
本発明のプラズマディスプレイ装置及び駆動方法は安定的な放電だけではなく輝度変動をとり除くことができる。
【発明を実施するための最良の形態】
【００１１】
以下では本発明に係る具体的な実施形態を添付された図面を参照して説明する。
【００１２】
図１を参照すると、本発明に係るプラズマディスプレイ装置はプラズマディスプレイパネル２００と、プラズマディスプレイパネル２００に形成された電極を駆動するための駆動部（１２０、１３０、１４０）及び駆動部を制御するためのコントロール部１１０と、駆動部（１２０、１３０、１４０）に必要な駆動電圧を供給するための駆動電圧発生部１５０を含む。
【００１３】
駆動部はデータ電極（Ｘ１乃至Ｘｍ）にデータを供給するためのデータ駆動部１２０と、スキャン電極（Ｙ１乃至Ｙｎ）を駆動するためのスキャン駆動部１３０と、サステイン電極（Ｚ）を駆動するためのサステイン駆動部１４０を含む。
【００１４】
図２を参照すると、プラズマディスプレイパネル２００は前面パネル２１０と背面パネル２２０を含む。
【００１５】
前面パネル２１０はスキャン電極（２１２、Ｙ）とサステイン電極（２１３、Ｚ）が位置する前面基板２１１を含む。背面パネル２２０はスキャン電極（２１２、Ｙ）とサステイン電極（２１３、Ｚ）と交差するデータ電極（２２３、Ｘ）が位置する背面基板２２１を含む。
【００１６】
スキャン電極（２１２、Ｙ）及びサステイン電極（２１３、Ｚ）は透明なＩＴＯ物質に形成された透明電極（２１２ａ、２１３ａ）と金属材質に製作されたバス電極（２１２ｂ、２１３ｂ）を含むことができる。また、スキャン電極（２１２、Ｙ）及びサステイン電極（２１３、Ｚ）はバス電極（２１２ｂ、２１３ｂ）のみを含むことができる。
【００１７】
上部誘電体層２１４はスキャン電極（２１２、Ｙ）及びサステイン電極（２１３、Ｚ）の放電電流を制限して電極の間を絶縁させる。保護層２１５は上部誘電体層２０４上面に位置して酸化マグネシウム（ＭｇＯ）の蒸着によって形成される。
【００１８】
下部誘電体層２２５はデータ電極間を絶縁させるためにデータ電極２２３を覆う。隔壁２２２は放電セルを形成させるためのストライプタイプまたはウェルタイプに形成される。隔壁２２２と隔壁２２２の間には可視光線を放出するＲ、Ｇ、Ｂ蛍光体２２４が塗布される。
【００１９】
図３に示すように、本発明のプラズマディスプレイ装置は一フレームを複数のサブフィールドで分けて駆動される。各サブフィールドはすべてのセルを初期化させるためのリセット期間、放電するセルを選択するためのアドレス期間及び放電回数に注いで階調を具現するサステイン期間を含む。
【００２０】
例えば、２５６階調で画像を表示しようとする場合に１／６０秒にあたるフレーム期間（１６．６７ｍｓ）は複数個、一例で８個のサブフィールド（ＳＦ１乃至ＳＦ８）で分けることが可能である。８個のサブフィールド（ＳＦ１乃至ＳＦ８）それぞれは前述のように、リセット期間（ＲＰ）、アドレス期間（ＡＰ）及びサステイン期間（ＳＰ）で分けられる。この時、各サブフィールドのリセット期間（ＲＰ）とアドレス期間（ＡＰ）は各サブフィールドに同一にする一方で、サステイン期間とそれに割り当てられるサステイン信号の数は変えることができる。一例で、各サブフィールドで２ｎ（ｎ＝０、１、２、３、４、５、６、７）の割合で増加させて階調表現ができる。
【００２１】
スキャン駆動部１３０はコントロール部１１０の制御の下にリセット期間の間以前サブフィールドでのすべての放電セルの壁電荷状態を初期化するためのリセット信号をスキャン電極（Ｙ１乃至Ｙｎ）に供給する。リセット信号は漸進的に上昇するセットアップ信号（Ｓｅｔ−ｕｐ）と、漸進的に立ち下がるセットダウン信号（Ｓｅｔ−ｄｏｗｎ）を含む。
【００２２】
スキャン駆動部１３０はコントロール部１１０の制御の下にアドレス期間の間スキャン電圧（−Ｖｙ）まで立ち下がるスキャン信号（Ｓｃａｎ）をスキャン電極（Ｙ１乃至Ｙｎ）に供給する。
【００２３】
スキャン駆動部１３０はコントロール部１１０の制御の下にサステイン期間の間サステイン電圧（Ｖｓ）まで上昇するサステイン信号をスキャン電極（Ｙ１乃至Ｙｎ）に供給する。
【００２４】
データ駆動部１２０には示さなかった逆ガンマ補正回路、誤差拡散回路等によって逆ガンマ補正及び誤差拡散された後、サブフィールドマッピング回路によって各サブフィールドにマッピングされたデータが供給される。データ駆動部１２０はコントロール部１１０のタイミング制御信号（ＣＴＲＸ）に応答してデータをサンプリングしてラッチした後、そのデータをデータ電極（Ｘ１乃至Ｘｍ）に供給するようになる。このようなデータに付いてオン（Ｏｎ）／オフ（Ｏｆｆ）される放電セル、すなわち、サステイン期間に表示放電であるサステイン放電を放出するセルが選択されるようになる。
【００２５】
サステイン駆動部１４０はセットダウン期間及びアドレス期間中の一つ以上の期間中バイアス電圧をサステイン電極（Ｚ）に供給する。また、サステイン駆動部１４０はサステイン期間の間サステイン電圧（Ｖｓ）まで上昇するサステイン信号をサステイン電極（Ｚ）に供給する。
【００２６】
コントロール部１１０は垂直／水平同期信号とクロック信号を入力受けてリセット期間、アドレス期間、サステイン期間で各駆動部（１２０、１３０、１４０）の動作タイミングと同期化を制御するためのタイミング制御信号（ＣＴＲＸ、ＣＴＲＹ、ＣＴＲＺ）を発生してそのタイミング制御信号（ＣＴＲＸ、ＣＴＲＹ、ＣＴＲＺ）を該当の駆動部（１２０、１３０、１４０）に供給することで各駆動部を制御する。
【００２７】
一方、データ制御信号（ＣＴＲＸ）にはデータをサンプリングするためのサンプリングクロック、ラッチ制御信号、サステイン駆動回路と駆動スイッチ素子のオン／オフタイムを制御するためのスイッチ制御信号が含まれる。スキャン制御信号（ＣＴＲＹ）にはスキャン駆動部１３０内のサステイン駆動回路と駆動スイッチ素子のオン／オフタイムを制御するためのスイッチ制御信号が含まれて、サステイン制御信号（ＣＴＲＺ）にはサステイン駆動部１４０内のサステイン駆動回路と駆動スイッチ素子のオン／オフタイムを制御するためのスイッチ制御信号が含まれる。
【００２８】
駆動電圧発生部１５０はセットアップ電圧（Ｖｓｅｔｕｐ）、スキャン基準電圧（Ｖｓｃ）、スキャン電圧（−Ｖｙ）、サステイン電圧（Ｖｓ）、データ電圧（Ｖａ）などを発生する。このような駆動電圧は放電ガスの配合や放電セル構造によって変えてもよい。
【００２９】
図４Ａを参照すると、一つのサブフィールド（ＳＦ）はリセット期間（ＲＰ）、アドレス期間（ＡＰ）及びサステイン期間（ＳＰ）を含む。
【００３０】
リセット期間（ＲＰ）のセットアップ期間（ＳＵ）間図１のスキャン駆動部１３０はスキャン電極（Ｙ）にセットアップ電圧（Ｖｓｅｔｕｐ）まで上昇するセットアップ信号（ＳＵ）を第１スキャン電極（Ｙ１）及び第２スキャン電極（Ｙ２）に供給する。第１スキャン電極（Ｙ）及び第２スキャン電極（Ｙ）はお互いに隣接して位置することもできて、隣接して位置しないこともある。セットアップ信号（ＳＵ）によって全画面のセル内には暗放電が発生する。
【００３１】
図１のスキャン駆動部１３０はリセット期間（ＲＰ）のセットダウン期間（ＳＤ）間第２電圧（Ｖ２）まで漸進的に立ち下がるセットダウン信号（ＳＤ）を第１スキャン電極（Ｙ１）及び第２スキャン電極（Ｙ２）に同時に供給する。セットダウン信号（ＳＤ）は放電セル内に消去放電を放出することでセットアップ放電によって過度に生成された壁電荷を消去して放電セル内の壁電荷を均一にさせる。
【００３２】
図１のスキャン駆動部１３０は第１スキャン電極（Ｙ１）に第１スキャン信号（Ｓｃａｎ１）を供給して第１スキャン電極（Ｙ１）及び第２スキャン電極（Ｙ２）に光を放出する第１信号（Ｓ１）を供給した後第２スキャン電極（Ｙ２）に第２スキャン信号（Ｓｃａｎ２）を供給する。第１信号（Ｓ１）はグラウンドレベルの電圧からサステイン電圧（Ｖｓ）まで上昇する。
【００３３】
第１スキャン信号（Ｓｃａｎ１）に同期してデータ信号（ｄａｔａ）がデータ電極（Ｘ）に供給されれば第１スキャン電極（Ｙ１）に対応する放電セルでアドレス放電が起きる。これによってサステイン電圧（Ｖｓ）まで上昇する第１信号（Ｓ１）が供給されればアドレス放電が起きた放電セルで光が放出される。
【００３４】
第１信号（Ｓ１）が供給された後スキャン駆動部１３０はサステイン期間（ＳＰ）間第１スキャン電極（Ｙ１）及び第２スキャン電極（Ｙ２）にサステイン電圧（Ｖ２）まで上昇するサステイン信号（Ｙｓ２）を供給する。
【００３５】
第１スキャン電極（Ｙ１）に第１スキャン信号（Ｓｃａｎ１）が供給される間にスキャン駆動部１３０は第２スキャン電極（Ｙ２）にスキャン基準電圧（Ｖｓｃ）を供給する。
【００３６】
サステイン駆動部１４０は第１スキャン電極（Ｙ１）に第１スキャン信号（Ｓｃａｎ１）が供給される間にバイアス電圧（Ｖｚｂ）をサステイン電極（Ｚ）に供給する。バイアス電圧（Ｖｚｂ）はアドレス期間（ＡＰ）間第１スキャン電極（Ｙ１）とサステイン電極（Ｚ）の間の放電を減少させる。
【００３７】
スキャン駆動部１３０が第１信号（Ｓ１）を第１スキャン電極（Ｙ１）に供給した後第２スキャン電極（Ｙ２）に第２スキャン信号（Ｓｃａｎ２）を供給する以前にサステイン駆動部１４０はサステイン電極（Ｚ）に第２信号（Ｓ２）を供給することができる。これによって第１スキャン電極（Ｙ１）に対応する放電セルからまた光が放出される。
【００３８】
図４Ｂを参照すると、スキャン駆動部１３０及びサステイン駆動部１４０はアドレス期間（ＡＰ）間に第１信号（Ｓ１）及び第２信号（Ｓ２）を１回以上３回以下で交互に第１スキャン電極（Ｙ１）、第２スキャン電極（Ｙ２）及びサステイン電極（Ｚ）に供給することができる。
【００３９】
図４Ａ及び図４Ｂに示すように、スキャン駆動部１３０は第１スキャン電極（Ｙ１）及び第２スキャン電極（Ｙ２）に第１信号（Ｓ１）を供給した後第２スキャン電極（Ｙ２）に第２スキャン信号（Ｓｃａｎ２）を供給する。第２スキャン電極（Ｙ２）にスキャン信号（Ｓｃａｎ２）が供給される間に、スキャン駆動部１３０はスキャン基準電圧（Ｖｓｃ）と異なる電圧（Ｖｎ）を第１スキャン電極（Ｙ１）に供給してもよい。スキャン基準電圧（Ｖｓｃ）と異なる電圧（Ｖｎ）はグラウンドレベルの電圧であってもよい。
【００４０】
第２スキャン電極（Ｙ２）に第２スキャン信号（Ｓｃａｎ２）が供給される間に、データ駆動部１２０は第２スキャン信号（Ｓｃａｎ２）に同期するデータ信号（ｄａｔａ）をデータ電極（Ｘ）に供給する。これによって第２スキャン電極（Ｓｃａｎ２）に対応する放電セルでアドレス放電が起きる。
【００４１】
第２スキャン信号（Ｓｃａｎ２）が供給される間にサステイン駆動部１４０はサステイン電極（Ｚ）にバイアス電圧（Ｖｚｂ）を供給する。バイアス電圧（Ｖｚｂ）はサステイン電圧と実質的に同一であることがある。
【００４２】
アドレス期間（ＡＰ）以後スキャン駆動部１３０とサステイン駆動部１４０は第１及び第２スキャン電極（Ｙ１、Ｙ２）とサステイン電極（Ｚ）に交互にサステイン電圧（Ｖｓ）まで上昇するサステイン信号（Ｙｓ２、Ｚｓ２）を供給する。
【００４３】
第１スキャン電極（Ｙ１）に第１スキャン信号（Ｓｃａｎ１）が第２スキャン電極（Ｙ２）に供給される第２スキャン信号（Ｓｃａｎ２）より先に供給されれば、第１スキャン信号（Ｓｃａｎ１）の供給以後第１スキャン電極（Ｙ１）の壁電荷及びプライミング粒子の損失量が第２スキャン電極（Ｙ２）の壁電荷及びプライミング粒子の損失量より大きい。したがって第１スキャン信号（Ｓｃａｎ１）と第２スキャン信号（Ｓｃａｎ２）の供給の間に第１信号（Ｓ１）が供給されれば、第１スキャン電極（Ｙ１）の壁電荷及びプライミング粒子の損失が補償される。これによって第１及び第２スキャン信号（Ｓｃａｎ１、Ｓｃａｎ２）が供給された放電セルでサステイン放電が安定的に起きる。
【００４４】
また、第１スキャン電極（Ｙ１）に供給された第１スキャン信号（Ｓｃａｎ１）が第２スキャン電極（Ｙ２）に供給される第２スキャン信号（Ｓｃａｎ２）より先に供給されれば、第２スキャン信号（Ｓｃａｎ２）の供給以前にリセット期間（ＲＰ）間第２スキャン電極（Ｙ２）に形成された壁電荷の損失量が第１スキャン電極（Ｙ１）に形成された壁電荷の損失量より大きい。したがって第２スキャン信号（Ｓｃａｎ２）が供給される以前に第１信号（Ｓ１）が第２スキャン電極（Ｙ２）に供給されることで第２スキャン電極（Ｙ２）に形成された壁電荷の損失が補償可能である。
【００４５】
図５を参照すると、スキャン駆動部１３０がアドレス期間（ＡＰ）間第１信号（Ｓ１）を第１スキャン電極（Ｙ１）及び第２スキャン電極（Ｙ２）に供給する時、サステイン駆動部１４０はグラウンドレベルの電圧（ＧＮＤ）をサステイン電極（Ｚ）に供給することができる。リセット期間（ＲＰ）に対する説明は図４Ａ及び図４Ｂの駆動波形と同一であるから略する。
【００４６】
第１スキャン信号（Ｓｃａｎ１）及びデータ信号（ｄａｔａ）が供給されれば、第１スキャン電極（Ｙ１）に対応する放電セルでアドレス放電が発生されて、第２スキャン電極（Ｙ２）に対応する放電セルたちではアドレス放電が発生されない。
【００４７】
第１スキャン信号（Ｓｃａｎ１）が第１スキャン電極（Ｙ１）に供給されて第２スキャン信号（Ｓｃａｎ２）が第２スキャン電極（Ｙ２）に供給される前に第１スキャン電極（Ｙ１）及び第２スキャン電極（Ｙ２）にだけ第１信号（Ｓ１）が供給されてサステイン電極（Ｚ）には第２信号（Ｓ２）が供給されない。これによってアドレス放電が起きた第１スキャン電極（Ｙ１）にあたる放電セルでばかりサステイン放電が起きて、第２スキャン電極（Ｙ２）にあたる放電セルではサステイン放電が起きない。
【００４８】
第１スキャン電極（Ｙ１）及び第２スキャン電極（Ｙ２）に第１信号（Ｓ１）が供給された後第２スキャン信号（Ｓｃａｎ２）が第２スキャン電極（Ｙ２）に供給される。
【００４９】
第１及び第２スキャン信号（Ｓｃａｎ１、Ｓｃａｎ２）が供給された後第１及び第２スキャン電極（Ｙ１、Ｙ２）とサステイン電極（Ｚ）に交互にサステイン信号（Ｙｓｆ２、Ｚｓｆ２、Ｙｓ２、Ｚｓ２）が供給される。
【００５０】
アドレス期間（ＡＰ）間第１信号（Ｓ１）が第１スキャン電極（Ｙ１）及び第２スキャン電極（Ｙ２）にだけ供給されてサステイン放電は第１スキャン電極（Ｙ１）にあたる放電セルでばかり起きるので、第１スキャン電極（Ｙ１）に最初に供給されるサステイン信号（Ｙｓｆ２）は第１スキャン電極（Ｙ１）に対応する放電セルでサステイン放電が発生しない。
【００５１】
また第２スキャン電極（Ｙ２）にあたる放電セルではアドレス期間（ＡＰ）にサステイン放電が発生しなかったので第２スキャン電極（Ｙ２）に印加される一番目サステイン信号（Ｙｓｆ２）によって第２スキャン電極（Ｙ２）に対応する放電セルでサステイン放電が発生する。
【００５２】
したがって、第１スキャン電極（Ｙ１）及び第２スキャン電極（Ｙ２）にあたる放電セルでアドレス期間（ＡＰ）及び一番目サステイン信号（Ｙｓｆ２）が供給される間に一度のサステイン放電が起きるので第１スキャン電極（Ｙ１）及び第２スキャン電極（Ｙ２）にあたる放電セルから放出される光の輝度変動は発生しない。
【００５３】
したがって図５の駆動波形は壁電荷及びプライミング粒子の損失が補償されるだけでなく輝度変動も減少する。
【００５４】
図６においてセットアップ期間（ＳＵ）に供給される信号の波形は図４Ａ及び図４Ｂに示された波形と同一であるので詳細な説明は略する。
【００５５】
図６のセットダウン期間（ＳＤ）にはスキャン駆動部１３０が第１スキャン電極（Ｙ１）に第３電圧（Ｖ３）まで立ち下がる第１セットダウン信号（Ｓｄ１）を供給して、第３電圧（Ｖ３）より高い第２電圧（Ｖ２）まで立ち下がる第２セットダウン信号（Ｓｄ２）を第２スキャン電極（Ｙ２）に供給する。
【００５６】
スキャン駆動部１３０は第１スキャン電極（Ｙ１）に第１スキャン信号（Ｓｃａｎ１）を供給して第２スキャン電極（Ｓｃａｎ２）にスキャン基準電圧（Ｖｓｃ）を供給した後、第１信号（Ｓ１）を第１スキャン電極（Ｙ１）及び第２スキャン電極（Ｙ２）に供給する。
【００５７】
スキャン駆動部１３０は第２スキャン電極（Ｙ２）に第１信号（Ｓ１）を供給した後グラウンドレベルの電圧（ＧＮＤ）から第２電圧（Ｖ２）より低い第１電圧（Ｖ１）まで漸進的に立ち下がる信号（Ｓｆ）を第２スキャン電極（Ｙ２）に供給する。この時、第１電圧（Ｖ１）は第３電圧（Ｖ３）と実質的に同一であってもよい。
【００５８】
すなわち、スキャン駆動部１３０は第１電圧（Ｖ１）より高い第２電圧（Ｖ２）まで漸進的に立ち下がる第２セットダウン信号（Ｓｄ２）を第２スキャン電極（Ｙ２）に供給する。第２スキャン電極（Ｙ２）に供給される信号（Ｓｆ）は第２スキャン電極（Ｙ２）にあたる放電セル内に微弱な消去放電を放出する。セットアップ期間（ＳＵ）間起きたセットアップ放電によって第２スキャン電極（Ｙ２）にあたる放電セル内に形成された壁電荷の一部が消去される。
【００５９】
言い替えれば第１セットダウン信号（Ｓｄ１）によって消去される壁電荷量は第２セットダウン信号（Ｓｄ２）によって消去される壁電荷量より大きい。これによって第２スキャン電極（Ｙ２）に供給される信号（Ｓｆ）によって第２スキャン電極（Ｙ２）の壁電荷が消去されることで第１スキャン電極（Ｙ１）及び第２スキャン電極（Ｙ２）の壁電荷量が制御可能である。すなわち、第１乃至第３電圧（Ｖ１、Ｖ２、Ｖ３）のレベルを調節することで第１スキャン電極（Ｙ１）及び第２スキャン電極（Ｙ２）の壁電荷量が制御可能である。
【００６０】
一方図６に示すように、アドレス期間の間第１スキャン電極（Ｙ１）及び第２スキャン電極（Ｙ２）にサステイン電圧（Ｖｓ）が供給される時、サステイン電極（Ｚ）にグラウンドレベル（ＧＮＤ）が供給されるので図５を通じて説明したように輝度変動が減る。
【００６１】
これによって壁電荷の補償、輝度変動の減少に加えて、多様なプラズマディスプレイパネルの特性に好適となるように壁電荷量が調節可能である。
【００６２】
図７においてセットアップ期間（ＳＵ）に供給される信号の波形は図４Ａ及び図４Ｂに示された波形と同一なので詳細な説明は略する。
【００６３】
図５の駆動波形と図７の駆動波形の差異は、第１信号（Ｓ１）及び第２信号（Ｓ２）がそれぞれ第１スキャン電極（Ｙ１）と第２スキャン電極（Ｙ２）に供給された後、第１スキャン電極（Ｙ１）に供給される第１スキャン基準電圧（−Ｖｓｃ１）が負電圧で、第１スキャン基準電圧（−Ｖｓｃ１）のレベルが第２スキャン電極（Ｙ２）に供給される第２スキャン基準電圧（−Ｖｓｃ２）のレベルと異なるという点である。したがって図７の駆動波形はスキャン信号が供給される順序が異なる時に発生し得る第１スキャン電極（Ｙ１）と第２スキャン電極（Ｙ２）の放電セルのアドレス放電変動を調節可能である。
【００６４】
また第１スキャン信号（Ｓｃａｎ１）と第２スキャン信号（Ｓｃａｎ２）が供給される時にサステイン電極（Ｚ）に供給されるバイアス電圧（Ｖｚｂ）は、サステイン電圧（Ｖｓ）より低いことがある。第１信号（Ｓ１）及び第２信号（Ｓ２）の供給後にサステイン電圧（Ｖｓ）と同一のバイアス電圧（Ｖｚｂ）が供給された場合には、サステイン放電が起こりうるためプラズマディスプレイパネルのコントラスト特性が悪化する可能性がある。そこで、サステイン電圧（Ｖｓ）より低いバイアス電圧（Ｖｚｂ）が供給することでコントラスト特性の悪化を防止することができる。
【図面の簡単な説明】
【００６５】
【図１】本発明のプラズマディスプレイ装置の一例を示す図。
【図２】本発明のプラズマディスプレイパネルの一例を示す図。
【図３】本発明のプラズマディスプレイ装置の駆動方法の一例を示す図。
【図４Ａ】本発明の実施形態に係るプラズマディスプレイ装置の第１駆動波形を示す図。
【図４Ｂ】本発明の実施形態に係るプラズマディスプレイ装置の第１駆動波形を示す図。
【図５】本発明の実施形態に係るプラズマディスプレイ装置の第２駆動波形を示す図。
【図６】本発明の実施形態に係るプラズマディスプレイ装置の第３駆動波形を示す図。
【図７】本発明の実施形態に係るプラズマディスプレイ装置の第４駆動波形を示す図。
【図１】
2008139881.tif 000003
【図２】
2008139881.tif 000004
【図３】
2008139881.tif 000005
【図４Ａ】
2008139881.tif 000006
【図４Ｂ】
2008139881.tif 000007
【図５】
2008139881.tif 000008
【図６】
2008139881.tif 000009
【図７】
2008139881.tif 000010
【外国語明細書】
PLASMA DISPLAY APPARATUS AND METHOD OF DRIVING THE SAME
BACKGROUND
Field
This documentrelates to a display apparatus, and more specifically, to a plasma display apparatus and a method of driving the same.
Related Art
A plasma display panel (“PDP”) apparatus comprises a PDP and a driver for driving the PDP.
The PDP comprises a front panel and a rear panel.  Barrier ribs are formed on the rear panel to define unit discharge cells.  An inert gas that contains a main discharge gas, such as Ne, He, or a mixture of Ne and He, and Xe is injected in each of the unit discharge cells.   
When a high frequency voltage is applied to the unit discharge cells to create an electric discharge, vacuum ultra violet rays that are generated from the inert gas excite a phosphor formed between the barrier ribs.  At this time, the excited phosphor emits light.
The PDP comprises a scan electrode Y, a sustain electrode Z, and a data electrode X.  The driver is connected to the electrodes to apply voltages to the electrodes. 
Meanwhile, driving efficiency can be lowered due to various factors when the voltages are applied from the driver to the electrodes.  Accordingly, studies have been in progress to optimize driving conditions of the PDP apparatus.
SUMMARY
In one aspect, a plasma display apparatus comprises a plasma display panel comprising a first scan electrode, a second scan electrode, and a sustain electrode and a scan driver, wherein the scan driver supplies the first scan electrode with a first scan signal, supplies the first scan electrode and the second electrode with a first signal for emitting light, and then supplies the second scan electrode with a second scan signal that falls down from a scan reference voltage, and supplies the first scan electrode with a voltage that is different from the scan reference voltage while the second scan signal is supplied.
The sustain driver may supply the sustain electrode with a second signal for emitting light in the sustain electrode after the supply of the first signal and before the supply of the second scan signal.
The scan driver and the sustain driver may alternately supply the first signal and the second signal more than once and less than three times.
The plasma display apparatus may further comprise a sustain driver, and the sustain driver may supply the sustain electrode with a ground voltage while the scan driver supplies the first signal.
The plasma display apparatus may further comprise a sustain driver, and the sustain driver may supply the sustain electrode with a sustain signal after the supply of a sustain signal to the first scan electrode and the second scan electrode.
The scan driver may supply the second scan electrode with a signal that gradually falls down to a first voltage after the supply of the first signal.
The scan driver may supply the second scan electrode with a set-down signal that gradually falls down to a second voltage that is higher than the first voltage before supplying the first scan signal.
The voltage that may different from the scan reference voltage is a ground voltage.
The voltage that is different from the scan reference voltage may be a negative voltage.
When the negative voltage is supplied, a voltage that is lower than the sustain voltage may be supplied to the sustain electrode.
In another aspect, a method of a plasma display apparatus comprising a first scan electrode, a second scan electrode, and a sustain electrode, comprises supplying the first scan electrode with a first scan signal, supplying the second scan electrode with a second scan signal that falls down from a scan reference voltage after the supply of the first scan electrode and the second scan electrode with a first signal for emitting light and supplying the first scan electrode with a voltage that is different from the scan reference voltage while the second scan signal is supplied.
A second signal for emitting light in the sustain electrode may be supplied to the sustain electrode after the supply of the first signal and before the supply of the second scan signal.
The first signal and the second signal may be alternately supplied more than once and less than three times.
A ground voltage may be supplied to the sustain electrode while the first signal is supplied.
After the second scan signal was supplied, a sustain signal may be supplied to the first scan electrode and the second scan electrode, and a sustain signal may be supplied to the sustain electrode.
A signal that gradually falls down to a first voltage may be supplied to the second scan electrode after the first signal was supplied.
A set-down signal that gradually falls down to a second voltage that is higher than the first voltage may be supplied to the first scan electrode and the second scan electrode before the first scan signal is supplied.
The voltage that is different from the scan reference voltage may be a ground voltage.
The voltage that is different from the scan reference voltage may be a negative voltage.
When the negative voltage is supplied, a voltage that is lower than the sustain voltage may be supplied to the sustain electrode.
BRIEF DESCRIPTION OF THE DRAWINGS
The implementation of this document will be described in detail with reference to the following drawings in which like numerals refer to like elements:
FIG. 1 is a view illustrating a PDP apparatus according to an exemplary embodiment of the present invention;
FIG. 2 is a view illustrating a PDP according to an exemplary embodiment of the present invention;
FIG. 3 is a view illustrating a method of driving a PDP apparatus according to an exemplary embodiment of the present invention;
FIGS. 4a and 4b are first waveforms of a PDP apparatus according to a first exemplary embodiment of the present invention;
FIG. 5 is a second waveform of a PDP apparatus according to a second exemplary embodiment of the present invention;
FIG. 6 is a third waveform of a PDP apparatus according to a third exemplary embodiment of the present invention; and 
FIG. 7 is a fourth waveform of a PDP apparatus according to a fourth exemplary embodiment of the present invention.
DETAILED DESCRIPTION
Hereinafter, an implementation of this document will be described in detail with reference to the attached drawings. 
Referring to FIG. 1, a PDP apparatus comprise a PDP 200, drivers, for example, a data driver 120, a scan driver 130, and a sustain driver 140, for driving electrodes disposed on the PDP 200, a controller for controlling the drivers, and a driving voltage generator 150 for generating driving voltages required for the drivers.
The driver 120 supplies data to data electrodes X1 to Xm, the scan driver 130 drives scan electrodes Y1 to Yn, and the sustain driver 140 drives sustain electrodes Z.
Referring to FIG. 2, the PDP 200 comprises a front panel 210 and a rear panel 220. 
The front panel 210 comprises a front substrate 211, and a scan electrode 212 and a sustain electrode 213 are disposed on the front substrate 211.  The rear panel 220 comprises a rear substrate 221, and a data electrode 223 that crosses the scan electrode 212 and the sustain electrode 221 is disposed on the rear substrate 221. 
The scan electrode 212, Y may comprise a transparent electrode 212a formed of a transparent ITO material and a bus electrode 212b formed of a metal material.  The sustain electrode 213 may comprise a transparent electrode 213a formed of a transparent ITO material and a bus electrode 213b formed of a metal material.  The scan electrode 212 and the sustain electrode 213 may comprise the bus electrode 212b alone and the bus electrode 213b alone, respectively. 
An upper dielectric layer 214 restricts discharge currents of the scan electrode 212 and the sustain electrode 213 and insulates the electrodes from each other.  A protection layer 215 is disposed on the upper dielectric layer 204 by coating an MgO layer on the upper dielectric layer 204. 
A lower dielectric layer 225 covers the data electrode 223 to insulate one data electrode from another.  A barrier rib 222 is formed in a stripe type or well type to define a discharge cell.  A phosphor, for example, R phosphor, G phosphor, or G phosphor, is coated for emitting visible light between two barrier ribs 222 that are adjacent to each other.  
In a PDP apparatus according to an exemplary embodiment of the present invention, one frame is divided into a plurality of sub-frames to drive the PDP apparatus, as shown in FIG. 3.  Each subfield comprises a reset period for initializing all cells, an address period for selecting a cell to be discharged, and a sustain period for realizing a gray level according to the number of discharges. 
For example, when an image is displayed with 256 gray levels, a frame period (e.g. 16.67ms) that corresponds to 1/60 sec is divided into a plurality of sub-fields, for example, eight sub-fields SF1 to SF8.  As described above, each of the eight sub-fields SF1 to SF8 comprises a reset period RP, an address period AP, and a sustain period SP.  The reset period RP and the address period AP are the same for each sub-field, while the sustain period SP and the number of sustain signals assigned during the sustain period SP may vary for each sub-field.  As an example, the sub-field is increased in the ratio of 2n (n=0, 1, 2, 3, 4, 5, 6, and 7) to display gray levels.
The scan driver 130 supplies scan electrodes Y1 to Yn with a reset signal during a reset period under control of the controller 110 to initialize the state of wall charges in all the discharge cells formed during the previous sub-field.  The reset signal comprises a gradually rising set-up signal and a gradually falling set-down signal.  
The scan driver 130 supplies the scan electrodes Y1 to Yn with a scan signal (Scan) that falls down up to a scan voltage -Vs during an address period under control of the controller 110.  
The scan driver 130 supplies the scan electrodes Y1 to Yn with a sustain signal that rises up to a sustain voltage Vs during a sustain period under control of the controller 110. 
A data signal is reverse-gamma corrected, error-diffused, and mapped to each sub-field by a reverse-gamma correction circuit (not shown), an error diffusion circuit (not shown), and a sub-field mapping circuit (not shown), respectively, and then the data signal is supplied to the data driver 120.  The data driver 120 samples and latches the data signal in response to a timing control signal CTRX of the controller 110, and then supplies the sampled and latched data signal to the data electrodes X1 to Xm.  A cell to be turned on/off, for example, in which a sustain discharge is generated during a sustain period, is selected depending on the data signal. 
The sustain driver 140 supplies a bias voltage to the sustain electrode Z during at least one of the set-down period and address period.  In addition, the sustain driver 140 supplies the sustain electrode Z with a sustain signal that rises up to a sustain voltage Vs during the sustain period.
The controller 110 receives horizontal/vertical synchronization signals and a clock signal, generates timing control signals CRTX, CTRY, and CTRZ for controlling the operation timing and synchronization of each driver 120, 130, and 140 during the reset period, address period, and sustain period, and supplies the timing control signals CTRX, CTRY, and CTRZ to a corresponding one of the drivers 120, 130, and 140 in order to control the drivers 120, 130, and 140.
The data control signal CTRX includes a sampling clock signal for sampling data, a latch control signal, and a switch control signal for controlling on/off time of a sustain driving circuit and a driving switching element.  The scan control signal CTRY comprises a switch control signal for controlling on/off time of a sustain driving circuit and a driving switching element in the scan driver 130, and the sustain control signal CTRZ comprises a switch control signal for controlling on/off time of a sustain driving circuit and a driving switching element in the sustain driver 140.
The driving voltage generator 150 generates driving voltages such as a set-up voltage Vsetup, a scan reference voltage Vsc, a scan voltage -Vy, a sustain voltage Vs, and a data voltage Va.  The driving voltages may vary depending on the composition of the discharge gas or structure of the discharge cell.
Referring to FIG. 4a, one sub-field SF comprises a reset period RP, an address period AP, and a sustain period SP.
During a set-up period SU of the reset period RP, a set-up signal Su that rises up to the set-up voltage Vsetup is supplied to the first scan electrode Y1 and the second scan electrode Y2 by the scan driver 130 shown in FIG. 1.  The first scan electrode Y1 and the second scan electrode Y2 may be located adjacent to each other, or not.  A dark discharge is caused by the set-up signal Su in the entire discharge cells. 
During a set-down period SD of the reset period RP, a set-down signal Sd that gradually falls down to a second voltage V2 is simultaneously supplied to the first scan electrode Y1 and the second scan electrode Y2 by the scan driver 130 shown in FIG. 1.  The set-down signal Sd causes an erase discharge in the discharge cell to remove wall discharges that are excessively generated by the set-up discharge and make the wall discharges distributed uniformly.
The scan driver 130 supplies a first scan signal Scan1 to the first scan electrode Y1, supplies the first scan electrode Y1 and the second scan electrode Y2 with a first signal S1 for emitting light, and then supplies a scan signal Scan2 to the second scan electrode Y2.  The first signal S1 rises from a ground voltage to the sustain voltage Vs. 
When a data signal (data) is supplied to the data electrode X in synchronization with the first scan signal Scan1, address discharges occur in the discharge cells that correspond to the first scan electrode Y1.  Accordingly, when the first signal S1 that rises up to the sustain voltage Vs is supplied, light is emitted in the discharge cells where the address discharges are generated. 
After the first signal S1 was supplied, the scan driver 130 supplies the first scan electrode Y1 and the second scan electrode Y2 with a sustain signal Ys2 that rises up to the sustain voltage V2 during the sustain period SP.
The scan driver 130 supplies the scan reference voltage Vsc to the second scan electrode Y2 while the first scan signal Scan1 is supplied to the first scan electrode Y1. 
The sustain driver 140 supplies the bias voltage Vzb to the sustain electrode Z while the first scan signal Scan1 is supplied to the first scan electrode Y1.  The bias voltage Vzb decreases the number of discharges that occur between the first scan electrode Y1 and the sustain electrode Z during the address period AP. 
The sustain driver 140 may supply the sustain electrode Z with the second signal S2 after the scan driver 130 supplies the first signal S1 with the first scan electrode Y1 and before the second scan signal Scan2 is supplied to the second scan electrode Y2.  Accordingly, the discharge cells that correspond to the first scan electrode Y1 emits light again. 
Referring to FIG. 4b, the first signal S1 and the second signal S2 may be alternately supplied more than one time and less than three times to the first and second scan electrodes Y1 and Y2 and the sustain electrode Z by the scan driver 130 and the sustain driver 140. 
As shown in FIGS. 4a and 4b, the scan driver 130 supplies the second scan signal Scan2 to the second scan electrode Y2 after having supplied the first signal S1 to the first scan electrode Y1 and second scan electrode Y2.  The scan driver 130 may supply the first scan electrode Y1 with some voltage Vn that is different from the scan reference voltage Vsc, while the second scan signal Scan2 is supplied to the second scan electrode Y2.  The voltage Vn may be a ground voltage. 
The data driver 120 supplies the data electrode X with a data signal (data) that synchronizes with the second scan signal Scan2, while the second scan signal Scan2 is supplied to the second scan electrode Y2.  Accordingly, address discharges occur in the discharge cells that correspond to the second scan electrode Scan2. 
The sustain driver 140 supplies the bias voltage Vzb to the sustain electrode Z while the second scan signal Scan2 is supplied.  The bias voltage Vzb may be substantially identical to the sustain voltage. 
After the address period AP, the sustain signal Ys2 and a sustain signal Zs2 that rise up to the sustain voltage Vs are alternately supplied to the first and second scan electrodes Y1 and Y2, and the sustain electrode Z by the scan driver 130 and the sustain driver 140. 
When the first scan signal Scan1 is supplied to the first scan electrode Y1 before the second scan signal Scan2 is supplied to the second scan electrode Y2, the loss of wall charges and priming particles after the supplying of the first scan signal Scan1 further increases in the first scan electrode Y1 than in the second scan electrode Y2.  Therefore, if the first signal S1 is supplied between when the first scan signal Scan1 is supplied and when the second scan signal Scan2 is supplied, the loss of wall charges and priming particles in the first scan electrode Y1 could be compensated.  Accordingly, the sustain discharges can occur stably in the discharge cells supplied with the first and second scan signals Scan1 and Scan2. 
When the first scan signal Scan1 is supplied to the first scan electrode Y1 before the second scan signal Scan2 is supplied to the second scan electrode Y2, the loss of wall charges caused during the reset period RP before the supplying of the first scan signal Scan2 further increases in the second scan electrode Y2 than in the first scan electrode Y1.  As such, the first signal S1 is supplied to the second scan electrode Y2 before the second scan signal Scan2 is supplied, and therefore, the loss of wall charges caused in the second scan electrode Y2 can be compensated. 
Referring to FIG. 5, when the scan driver 130 supplies the first signal S1 to the first scan electrode Y1 and the second scan electrode Y2 during the address period AP, the sustain driver 140 may supply the sustain electrode Z with a ground voltage GND.  The driving waveforms of signals during the reset period RP in FIG. 5 are similar to those in FIGS. 4a and 4b, and therefore, their detailed descriptions will be omitted.  
When the first scan signal Scan1 and data signal (data) are supplied, address discharges occur in the discharge cells that correspond to the first scan electrode Y1 but does not occur in the discharge cells that correspond to the second scan electrode Y2.
After the first scan signal Scan1 has been supplied to the first scan electrode Y1 and before the second scan signal Scan2 is supplied to the second scan electrode Y2, the first signal S1 is supplied to the first scan electrode Y1 and the second scan electrode Y2, and the second signal S2 is not supplied to the sustain electrode Z.  Therefore, sustain discharges occur in only the discharge cells that correspond to the first scan electrode Y1 and caused the address discharges but not in the discharge cells that correspond to the second scan electrode Y2.   
After the first signal S1 was supplied to the first scan electrode Y1 and the second scan electrode Y2, the second scan signal Scan2 is supplied to the second scan electrode Y2. 
And then, sustain signals Ysf2 and Ys2, and Zsf1 and Zs2 are alternately supplied to the first and second scan electrodes Y1 and Y2, and the sustain electrode Z, respectively. 
During the address period AP, the first signal S1 is supplied only to the first scan electrode Y1 and the second scan electrode Y2 and the sustain discharges occur only in the discharge cells that correspond to the first scan electrode Y1, and therefore, the sustain discharges do not occur in the discharge cells that correspond to the first scan electrode Y1 by the sustain signal Ysf2 that is firstly supplied to the first scan electrode Y1. 
In addition, since sustain discharges did not occur in the discharge cells that correspond to the second scan electrode Y2, sustain discharges can be generated in the discharge cells that correspond to the second scan electrode Y2 by the first sustain signal Ysf2 which is applied to the second scan electrode Y2.
Accordingly, since a single sustain discharge occurs in the discharge cells corresponding to the first scan electrode Y1 and the second scan electrode Y2 for the address period and a part of the sustain period during which the first sustain signal Ysf2 is supplied, variations in brightness of the light emitting from the discharge cells that correspond to the first and second scan electrodes Y1 and Y2 do not occur.
Accordingly, the driving waveforms shown in FIG. 5 can compensate the loss of wall charges and priming particles as well as reduce the variations in brightness.
The driving waveforms of signals during the set-up period SU in FIG. 6 are similar to those in FIGS. 4a and 4b, and therefore, their detailed descriptions will be omitted. 
During a set-down period SD, the scan driver 130 supplies the first scan electrode Y1 with the first set-down signal Sd1 that falls down to the third voltage V3, and supplies the second scan electrode Y2 with the second set-down signal Sd2 that falls down to the second voltage V2 which is higher than the third voltage V2. 
The scan driver 130 supplies the first scan electrode Y1 with the first scan signal Scan1, supplies the second scan electrode Scan2 with the scan reference voltage Vsc, and supplies the first signal S1 to the first scan electrode Y1 and the second scan electrode Y2. 
After having supplied the first signal S1 to the second scan electrode Y2, the scan driver 130 supplies the second scan electrode Y2 with a signal Sf that gradually falls from the ground voltage to the first voltage V1 which is lower than the second voltage V2.  At this time, the first voltage V1 may be substantially equal to the third voltage V3. 
That is, the scan driver 130 supplies the second scan electrode Y2 with the second set-down signal Sd2 that gradually falls down to the second voltage V2 which is higher than the first voltage V1.  The signal Sf that is supplied to the second scan electrode Y2 causes a weak erase discharge in the discharge cells corresponding to the second scan electrode Y2.  The wall charges that are formed in the discharge cells corresponding to the second scan electrode Y2 are partially removed by the set-up discharges occurring during the set-up period SU. 
In other words, the amount of wall charges to be removed by the first set-down signal Sd1 is larger than the amount of wall charges to be removed by the second set-down signal Sd2. Since the wall charges of the second scan electrode Y2 is removed by the signal Sf, the amount of wall charges formed in the first and second scan electrodes Y1 and Y2 may be controlled.  That is, the amount of wall charges may be controlled in the first and second scan electrodes Y1 and Y2 by adjusting the levels of the first to the third voltages V1, V2, and V3. 
During the address period, the ground voltage GND is supplied to the sustain electrode Z while the sustain voltage Vs is supplied to the first scan electrode Y1 and the second scan electrode Y2, and therefore, variations in brightness can be reduced as described above with reference to FIG. 5. 
In addition to the compensation to loss of wall charges and decrease in brightness variation, the amount of wall charges can be adjusted to be suitable for the characteristics of various PDPs. 
The driving waveforms of signals during the set-up period SU in FIG. 7 are similar to those in FIGS. 4a and 4b, and therefore, their detailed descriptions will be omitted.
The driving waveforms of signals shown in FIG. 5 are different from those shown in FIG. 7, in that the first scan reference voltage -Vsc1 that is supplied to the first scan electrode Y1 after the first signal S1 and second signal S2 have been supplied to the first scan electrode Y1 and the second scan electrode Y2 is a negative voltage, and the level of the first scan reference voltage -Vsc is dissimilar to that of the second scan reference voltage -Vsc2.  Accordingly, the driving waveforms of signals shown in FIG. 7 can adjust variations in address discharge of the discharge cells that correspond to the first and second scan electrodes Y1 and Y2, which can be caused when the scan signals have the different supplying order. 
The bias voltage Vzb that is supplied to the sustain electrode Z when the first and second scan signals Scan1 and Scan2 are supplied may be lower than the sustain voltage Vs. When the bias voltage Vzb equal to the sustain voltage Vs is supplied after the supplying of the first signal S1 and the second signal S2, there can occur sustain discharges, and therefore, the contrast of the PDP can be deteriorated.  Accordingly, it can be possible to prevent the deterioration of the contrast of the PDP by supplying the bias voltage Vzb that is lower than the sustain voltage Vs. 
The foregoing embodiments and advantages are merely exemplary and are not to be construed as limiting the present invention.  The present teaching can be readily applied to other types of apparatuses.  The description of the foregoing embodiments is intended to be illustrative, and not to limit the scope of the claims.  Many alternatives, modifications, and variations will be apparent to those skilled in the art.
What is claimed is:
1. A plasma display apparatus comprising:
a plasma display panel comprising a first scan electrode, a second scan electrode, and a sustain electrode; and
a scan driver, wherein 
the scan driver supplies the first scan electrode with a first scan signal, supplies the first scan electrode and the second electrode with a first signal for emitting light, and then supplies the second scan electrode with a second scan signal that falls down from a scan reference voltage, and supplies the first scan electrode with a voltage that is different from the scan reference voltage while the second scan signal is supplied.
2. The plasma display apparatus of claim 1, further comprising:
a sustain driver, wherein
the sustain driver supplies the sustain electrode with a second signal for emitting light in the sustain electrode after the supply of the first signal and before the supply of the second scan signal.
3. The plasma display apparatus of claim 2, wherein
the scan driver and the sustain driver alternately supply the first signal and the second signal more than once and less than three times.
4. The plasma display apparatus of claim 1, further comprising:
a sustain driver, wherein 
the sustain driver supplies the sustain electrode with a ground voltage while the scan driver supplies the first signal.
5. The plasma display apparatus of claim 1, further comprising:
a sustain driver, wherein 
the sustain driver supplies the sustain electrode with a sustian signal after the supply of a sustain signal to the first scan electrode and the second scan electrode.
6. The plasma display apparatus of claim 1, wherein
the scan driver supplies the second scan electrode with a signal that gradually falls down to a first voltage after the supply of the first signal.
7. The plasma display apparatus of claim 6, wherein
the scan driver supplies the second scan electrode with a set-down signal that gradually falls down to a second voltage that is higher than the first voltage before supplying the first scan signal.
8. The plasma display apparatus of claim 1, wherein
the voltage that is different from the scan reference voltage is a ground voltage.
9. The plasma display apparatus of claim 1, wherein
the voltage that is different from the scan reference voltage is a negative voltage.
10. The plasma display apparatus of claim 9, wherein
when the negative voltage is supplied, a voltage that is lower than the sustain voltage is supplied to the sustain electrode.
11. A method of a plasma display apparatus comprising a first scan electrode, a second scan electrode, and a sustain electrode, the method comprising:
supplying the first scan electrode with a first scan signal;
supplying the second scan electrode with a second scan signal that falls down from a scan reference voltage after the supply of the first scan electrode and the second scan electrode with a first signal for emitting light; and
supplying the first scan electrode with a voltage that is different from the scan reference voltage while the second scan signal is supplied.
12. The method of claim 11, wherein
a second signal for emitting light in the sustain electrode is supplied to the sustain electrode after the supply of the first signal and before the supply of the second scan signal.
13. The method claim 12, wherein
the first signal and the second signal are alternately supplied more than once and less than three times.
14. The method of claim 11, wherein
a ground voltage is supplied to the sustain electrode while the first signal is supplied.
15. The method of claim 11, wherein
after the second scan signal was supplied, a sustain signal is supplied to the first scan electrode and the second scan electrode, and
a sustain signal is supplied to the sustain electrode.
16. The method of claim 11, wherein
a signal that gradually falls down to a first voltage is supplied to the second scan electrode after the first signal was supplied.
17. The method of claim 16, wherein
a set-down signal that gradually falls down to a second voltage that is higher than the first voltage is supplied to the first scan electrode and the second scan electrode before the first scan signal is supplied.
18. The method of claim 11, wherein
the voltage that is different from the scan reference voltage is a ground voltage.
19. The method of claim 11, wherein
the voltage that is different from the scan reference voltage is a negative voltage.
20. The method of claim 19, wherein
when the negative voltage is supplied, a voltage that is lower than the sustain voltage is supplied to the sustain electrode.
ABSTRACT OF THE DISCLOSURE
A plasma display apparatus comprises a plasma display panel and a scan driver. The plasma display panel comprising a first scan electrode, a second scan electrode, and a sustain electrode. The scan driver supplies the first scan electrode with a first scan signal, supplies the first scan electrode and the second electrode with a first signal for emitting light, and then supplies the second scan electrode with a second scan signal that falls down from a scan reference voltage, and supplies the first scan electrode with a voltage that is different from the scan reference voltage while the second scan signal is supplied.
FIG. 1
2008139881.tif 000011
FIG. 2
2008139881.tif 000012
FIG. 3 
2008139881.tif 000013
FIG. 4a
2008139881.tif 000014
FIG. 4b
2008139881.tif 000015
FIG. 5 
2008139881.tif 000016
FIG. 6 
2008139881.tif 000017
FIG. 7
2008139881.tif 000018